(57)【要約】【課題】リンクチェーンの小型化を確保しつつ、かかるリンクチェーンが確実に結合される金具、および、それらを備えるチェーンスリングを提供すること。【解決手段】チェーンスリング１は、リンクチェーン２と上金具３とを備える。上金具３は、一方側第１リンク１１を受け入れる第１受入凹部３１と、一方側第２リンク１２が挿通される挿通凹部３２とを備える。第１受入凹部３１は、横方向に一方側第１リンク１１の平行部４７が並ぶように、一方側第１リンク１１を受け入れる。挿通凹部３２は、一方側第２リンク１２の挿通が許容され、かつ、一方側第１リンク１１の挿通が規制されるように、一方側第２リンク１２の線径よりも広く、かつ、一方側第１リンク１１の外面幅よりも狭い。第１受入凹部３１は、挿通凹部３２に連続する挿通凹部仕切部３６と、挿通凹部仕切部３６の縁部に一方側第１リンク１１を係止する第１裾部３７とを備える。【選択図】図１
2019052688.tif 000002
【特許請求の範囲】
【請求項１】
第１リンクと、前記第１リンクに連結される第２リンクとを備えるリンクチェーンと、  前記リンクチェーンが結合される金具とを備えるチェーンスリングであって、
前記金具は、前記第１リンクを受け入れる第１受入凹部と、前記第１受入凹部に連続し、前記第２リンクが挿通される挿通凹部とを備え、
前記第１受入凹部は、前記第１受入凹部の深さ方向に対して直交する方向に前記第１リンクの平行部が並ぶように、前記第１リンクを受け入れ、
前記挿通凹部は、前記第１受入凹部に受け入れられている前記第１リンクをその長手方向に投影したときに前記第１リンクに対して交差する前記第２リンクの挿通が許容され、かつ、前記第１リンクの挿通が規制されるように、前記第２リンクの線径よりも広く、かつ、前記第１リンクの外面幅よりも狭く、
前記第１受入凹部は、前記挿通凹部に連続する開口部と、前記開口部の縁部に前記第１リンクを係止する係止部とを備えていることを特徴とする、チェーンスリング。
【請求項２】
前記金具は、前記第１受入凹部に受け入れられている前記第１リンクの前記深さ方向の移動を規制する第１規制部を備えていることを特徴とする、請求項１に記載のチェーンスリング。
【請求項３】
前記リンクチェーンは、前記第２リンクに連結される第３リンクを備え、
前記金具は、前記挿通凹部に連続し、前記第３リンクを受け入れる第２受入凹部を備え、
前記第２受入凹部は、前記第２受入凹部の深さ方向に対して直交する方向に前記第３リンクの平行部が並ぶように、前記第３リンクを受け入れることを特徴とする、請求項１または２に記載のチェーンスリング。
【請求項４】
前記金具は、前記第２受入凹部に受け入れられている前記第３リンクの前記深さ方向の移動を規制する第２規制部を備えていることを特徴とする、請求項３に記載のチェーンスリング。
【請求項５】
前記リンクチェーンの線径が、５ｍｍ未満であることを特徴とする、請求項１〜４のいずれか一項に記載のチェーンスリング。
【請求項６】
第１リンクと、前記第１リンクに連結される第２リンクとを備えるリンクチェーンが結合される、チェーンスリングの金具であって、
前記金具は、前記第１リンクを受け入れる第１受入凹部と、前記第１受入凹部に連続し、前記第２リンクが挿通される挿通凹部とを備え、
前記第１受入凹部は、前記第１受入凹部の深さ方向に対して直交する方向に前記第１リンクの平行部が並ぶように、前記第１リンクを受け入れることができるように、前記深さ方向に対して直交する方向の幅が、前記第１リンクの外面幅以上であり、
前記挿通凹部は、前記第１受入凹部に受け入れられている前記第１リンクをその長手方向に投影したときに前記第１リンクに対して交差する前記第２リンクの挿通が許容され、かつ、前記第１リンクの挿通が規制されるように、前記第２リンクの線径よりも広く、かつ、前記第１リンクの外面幅よりも狭く、
前記第１受入凹部は、前記挿通凹部に連続する開口部と、前記開口部の縁部に前記第１リンクを係止する係止部とを備えていることを特徴とする、チェーンスリングの金具。
【発明の詳細な説明】
【技術分野】
【０００１】
本発明は、チェーンスリングおよびその金具に関する。
【背景技術】
【０００２】
従来より、リンクチェーンと、リンクチェーンの端部に位置するリンクを収容する金具と、リンクに挿入されるピンとを備えるチェーンスリングが知られている。
【０００３】
例えば、溝を有するＨ型金具と、それに結合されるチェーンと、チェーンの端部に位置するリンクをＨ型金具の溝内に軸着する係止ピンとを備えるチェーンスリングが提案されている（例えば、特許文献１参照。）。
【先行技術文献】
【特許文献】
【０００４】
【特許文献１】特開２０００−４６１２３号公報
【発明の概要】
【発明が解決しようとする課題】
【０００５】
近年、チェーンを構成する複数のリンクのそれぞれを小型化する要求がある。
【０００６】
しかるに、特許文献１における複数のリンクのそれぞれを小型化すれば、リンクの線径が小さくなり、リンク（チェーン）の内面幅（具体的には、リンクにおいて互い平行する２つの平行部間の距離）が狭く（短く）なる。すると、係止ピンは、チェーンに挿入される必要があるので、その外径を、チェーンの内面幅以下に設定する必要がある。そうすると、係止ピンの機械強度は、低下する。一方、チェーンは、複数のリンクを小型化しても、そもそも長尺で重量があるため、係止ピンが、チェーンの重量に起因して破損し、その結果、金具はチェーンを確実に結合できないという不具合がある。
【０００７】
本発明は、リンクチェーンの小型化を確保しつつ、かかるリンクチェーンが確実に結合される金具、および、それらを備えるチェーンスリングを提供する。
【課題を解決するための手段】
【０００８】
本発明（１）は、第１リンクと、前記第１リンクに連結される第２リンクとを備えるリンクチェーンと、前記リンクチェーンが結合される金具とを備えるチェーンスリングであって、前記金具は、前記第１リンクを受け入れる第１受入凹部と、前記第１受入凹部に連続し、前記第２リンクが挿通される挿通凹部とを備え、前記第１受入凹部は、前記第１受入凹部の深さ方向に対して直交する方向に前記第１リンクの平行部が並ぶように、前記第１リンクを受け入れ、前記挿通凹部は、前記第１受入凹部に受け入れられている前記第１リンクをその長手方向に投影したときに前記第１リンクに対して交差する第２リンクの挿通が許容され、かつ、前記第１リンクの挿通が規制されるように、前記第２リンクの線径よりも広く、かつ、前記第１リンクの外面幅よりも狭く、前記第１受入凹部は、前記挿通凹部に連続する開口部と、前記開口部の縁部に前記第１リンクを係止する係止部とを備えている、チェーンスリングを含む。
【０００９】
このチェーンスリングでは、挿通凹部は、第２リンクの挿通が許容され、かつ、第１リンクの挿通が規制されるように、第２リンクの線径よりも広く、かつ、第１リンクの外面幅よりも狭く、第１受入凹部は、挿通凹部に連続する開口部と、開口部の縁部に第１リンクを係止する係止部とを備える。そのため、第１リンクは、その平行部が並ぶように、第１受入凹部において受け入れられ、挿通凹部における挿通が規制される一方、挿通凹部に連続する開口部の縁部において、係止部によって、係止される。
【００１０】
他方、第２リンクは、挿通凹部における挿通が許容される。
【００１１】
したがって、第１リンクおよび第２リンクのそれぞれを、開口部および挿通凹部において受け入れつつ、第１リンクを係止部に係止させることによって、リンクチェーンが金具に確実に結合される。
【００１２】
そのため、たとえ、第１リンクが小型であっても、特許文献１のように、係止ピンを小型の第１リンクに挿入させるのではなく、係止部によって係止できる。
【００１３】
その結果、第１リンクの小型化を図りつつ、かかる第１リンクを含むリンクチェーンを金具によって確実に結合することができる。
【００１４】
本発明（２）は、前記金具は、前記第１受入凹部に受け入れられている前記第１リンクの前記深さ方向の移動を規制する第１規制部を備えている、（１）に記載のチェーンスリングを含む。
【００１５】
このチェーンスリングでは、第１規制部によって、第１リンクの深さ方向の移動を規制できるので、第１リンクは、金具により確実に結合される。
【００１６】
本発明（３）は、前記リンクチェーンは、前記第２リンクに連結される第３リンクを備え、前記金具は、前記挿通凹部に連続し、前記第３リンクを受け入れる第２受入凹部を備え、前記第２受入凹部は、前記第２受入凹部の深さ方向に対して直交する方向に前記第３リンクの平行部が並ぶように、前記第３リンクを受け入れることを特徴とする、（１）または（２）に記載のチェーンスリングを含む。
【００１７】
このチェーンスリングでは、第３リンクが第２受入凹部で受け入れられる。そのため、リンクチェーンが金具により一層確実に結合される。
【００１８】
本発明（４）は、前記金具は、前記第２受入凹部に受け入れられている前記第３リンクの前記深さ方向の移動を規制する第２規制部を備えている、（３）に記載のチェーンスリングを含む。
【００１９】
このチェーンスリングでは、第２規制部によって、第３リンクの深さ方向の移動を規制できる。
【００２０】
本発明（５）は、前記リンクチェーンの線径が、５ｍｍ未満である、（１）〜（４）のいずれか一項に記載のチェーンスリングを含む。
【００２１】
このチェーンスリングでは、リンクチェーンの線径が５ｍｍ未満であるので、リンクチェーンリンクの小型化を確保することができる。
【００２２】
本発明（６）は、第１リンクと、前記第１リンクに連結される第２リンクとを備えるリンクチェーンが結合される、チェーンスリングの金具であって、前記金具は、前記第１リンクを受け入れる第１受入凹部と、前記第１受入凹部に連続し、前記第２リンクが挿通される挿通凹部とを備え、前記第１受入凹部は、前記第１受入凹部の深さ方向に対して直交する方向に前記第１リンクの平行部が並ぶように、前記第１リンクを受け入れることができるように、前記深さ方向に対して直交する方向の幅が、前記第１リンクの外面幅以上であり、前記挿通凹部は、前記第１受入凹部に受け入れられている前記第１リンクをその長手方向に投影したときに前記第１リンクに対して交差する第２リンクの挿通が許容され、かつ、前記第１リンクの挿通が規制されるように、前記第２リンクの線径よりも広く、かつ、前記第１リンクの外面幅よりも狭く、前記第１受入凹部は、前記挿通凹部に連続する開口部と、前記開口部の縁部に前記第１リンクを係止する係止部とを備えている、チェーンスリングの金具を含む。
【００２３】
このチェーンスリングの金具では、挿通凹部は、第２リンクの挿通が許容され、かつ、第１リンクの挿通が規制されるように、第２リンクの線径よりも広く、かつ、第１リンクの外面幅よりも狭く、第１受入凹部は、挿通凹部に連続する開口部と、開口部の縁部に第１リンクを係止する係止部とを備える。そのため、第１リンクは、その平行部が並ぶように、第１受入凹部において受け入れられ、挿通凹部における挿通が規制される一方、挿通凹部に連続する開口部の縁部において、係止部によって、係止される。
【００２４】
他方、第２リンクは、挿通凹部における挿通が許容される。
【００２５】
したがって、第１リンクおよび第２リンクのそれぞれを、開口部および挿通凹部において受け入れつつ、第１リンクを係止部に係止させることによって、リンクチェーンが金具に確実に結合される。
【００２６】
そのため、たとえ、第１リンクが小型であっても、特許文献１のように、係止ピンを小型の第１リンクに挿入させるのではなく、係止部によって係止できる。
【００２７】
その結果、第１リンクが小型であっても、かかる第１リンクを含むリンクチェーンを金具によって確実に結合することができる。
【発明の効果】
【００２８】
本発明のチェーンスリングおよびその金具によれば、第１リンクの小型化を図りつつ、かかる第１リンクを含むリンクチェーンを金具によって確実に結合することができる。
【図面の簡単な説明】
【００２９】
【図１】図１Ａ〜図１Ｃは、本発明のチェーンスリングの一実施形態を示し、図１Ａが、正面図、図１Ｂが、背面図、図１Ｃが、右側面図を示す。
【図２】図２は、図１に示す上金具の正面縦方向一方側から見た拡大斜視図を示す。
【図３】図３は、図２に示す上金具およびリンクチェーンの正面図を示す。なお、図３は、上金具およびリンクチェーンの相対位置を明確に示すために、複数のピンを省略している。
【図４】図４Ａおよび図４Ｂは、図３に示す上金具およびリンクチェーンの側断面図であり、図４Ａが、図３のＡ−Ａ線に沿う断面図、図４Ｂが、図３のＢ−Ｂ線に沿う断面図を示す。
【図５】図５Ｃ〜図５Ｆは、図３に示す上金具およびリンクチェーンの平断面図であり、図５Ｃが、図３のＣ−Ｃ線に沿う断面図、図５Ｄが、図３のＤ−Ｄ線に沿う断面図、図５Ｅが、図３のＥ−Ｅ線に沿う断面図、図５Ｆが、図３のＦ−Ｆ線に沿う断面図を示す。
【図６】図６は、図２に示す上金具であって、リンクチェーンがまだ結合されていない態様の拡大斜視図を示す。
【図７】図７Ａおよび図７Ｂは、図６に示す上金具であり、図７Ａが、正面図、図７Ｂが、右側面図を示す。
【図８】図８Ａおよび図８Ｂは、図６に示す上金具であり、図８Ａが、背面図、図８Ｂが、左側面図を示す。
【図９】図９Ａおよび図９Ｂは、図６に示す上金具であり、図９Ａが、平面図、図９Ｂが、底面図を示す。
【図１０】図１０Ａおよび図１０Ｂは、図１に示すチェーンスリングにおける下金具であり、図１０Ａが、正面図、図１０Ｂが、右側面図を示す。
【図１１】図１１Ａおよび図１１Ｂは、図１に示すチェーンスリングにおける下金具であり、図１１Ａが、背面図、図１１Ｂが、左側面図を示す。
【図１２】図１２Ａおよび図１２Ｂは、図１に示すチェーンスリングにおける下金具であり、図１２Ａが、平面図、図１２Ｂが、底面図を示す。
【図１３】図１３は、図１に示すチェーンスリングの変形例の正面図を示す。
【図１４】図１４Ａおよび図１４Ｂは、図１３に示すチェーンスリングの上金具であり、図１４Ａが、正面図、図１４Ｂが、右側面図を示す。
【図１５】図１５Ａおよび図１５Ｂは、図１３に示すチェーンスリングの上金具であり、図１５Ａが、背面図、図１５Ｂが、左側面図を示す。
【図１６】図１６Ａおよび図１６Ｂは、図１３に示すチェーンスリングの上金具であり、図１６Ａが、平面図、図１６Ｂが、底面図を示す。
【発明を実施するための形態】
【００３０】
＜一実施形態＞
図１Ａ〜図１Ｃに示すように、このチェーンスリング１は、リンクチェーン２と、リンクチェーン２が結合される金具の一例としての上金具３および下金具４とを備える。
【００３１】
リンクチェーン２は、複数のリンク５を備える。このようなリンクチェーン２は、特に限定されず、例えば、ＪＩＳ  Ｂ  ８８１２（２００４年）、ＪＩＳ  Ｂ  ８８１６（２００４年）、などによって定義される。具体的には、リンクチェーン２において、隣接するリンク５は、互いに連結されている。リンクチェーン２は、一方側端部に位置する一方側第１リンク１１、一方側第２リンク１２、一方側第３リンク１３および一方側第４リンク１４を縦方向他方側に向かって順に備える。また、リンクチェーン２は、他方側端部に位置する他方側第１リンク１５、他方側第２リンク１６、他方側第３リンク１７および他方側第４リンク１８を縦方向一方側に向かって順に備える。さらに、リンクチェーン２は、一方側第４リンク１４および他方側第４リンク１８の間に、無数の複数のリンク５を備える。リンクチェーン２では、一方側第１リンク１１、一方側第２リンク１２、一方側第３リンク１３、一方側第４リンク１４、他方側第４リンク１８、他方側第３リンク１７、他方側第２リンク１６および他方側第１リンク１５が、一方側から他方側に向かって順に配列されている。
【００３２】
リンクチェーン２において、互いに隣接（近接）する２つのリンク５は、上金具３および下金具４に結合されている（いわゆる、リンクチェーン２が緊張している）ときに、縦方向（緊張方向）に投影したときに、互いに直交する。複数のリンク５のそれぞれは、２つの平行部４７と、２つの平行部４７の縦方向一端部同士、および、縦方向他端部同士を連結する２つの連結部４８とを有する。リンクチェーン２が緊張しているときには、隣接する連結部４８は、その内面において、互いに接触する。
【００３３】
図２および図３に示すように、リンクチェーン２の線径ｄは、例えば、１３ｍｍ未満、好ましくは、５ｍｍ未満であり、また、１ｍｍ以上である。リンクチェーン２の線径ｄが上記した上限未満であれば、リンクチェーンの小型化を確保することができる。また、リンクチェーン２の内面幅ａは、例えば、１９．５ｍｍ未満、好ましくは、７．５ｍｍ未満であり、また、１．２５ｍｍ以上である。リンクチェーン２の外面幅ｂは、線径ｄの２倍値と、内面幅ａとを足した値であり、例えば、４５．５ｍｍ未満、例えば、３．２５ｍｍ以上である。
【００３４】
上金具３は、第１リンク１１、第２リンク１２および第３リンク１３を受け入れながら、一方側第１リンク１１を係止する係止金具である。上金具３は、所定の厚みを有しつつ、縦方向に長く延び、横方向（厚み方向および縦方向に直交する方向）に短く延びる略矩形板形状を有する。上金具３は、例えば、マスターリンクであって、リンク部６と、収容係止部７とを備える。図１Ａおよび図１Ｃに示すように、上金具３は、さらに、複数のピン４９を備える。
【００３５】
図３に示すように、リンク部６は、上金具３における縦方向一方側（図１Ａ〜図１Ｃにおける上側）部分に位置する。リンク部６は、正面視環状の形状を有する。具体的には、リンク部６は、厚み方向を貫通する貫通穴２２を有する。貫通穴２２は、縦方向に沿う長い長穴である。
【００３６】
収容係止部７は、リンク部６に対して縦方向他方側に位置する。収容係止部７は、リンク部６の縦方向他端部に連続する。図２および図３に示すように、収容係止部７は、所定の厚みを有しつつ、縦方向に長く延び、横方向に短く延びる一側開放の略平箱（あるいは略平板）形状を有する。収容係止部７は、上壁８と、後壁９と、２つの横壁１０とを連続して備える。
【００３７】
上壁８は、リンク部６の縦方向他端部に連続しており、収容係止部７における縦方向一方側端部に位置する。上壁８は、横方向に延びる略平板形状を有する。なお、上壁８の前側部分の横方向中央部の下面は、後述する一方側第１リンク１１の一の連結部４８に対応する平面視略半円弧形状を有する。上壁８の下面における円弧中心は、下面に対して、縦方向他方側に位置する。
【００３８】
後壁９は、上壁８の後側（厚み方向一方側）部分から縦方向他方側（図３における下側）に向かって延びる略板形状を有する。図４Ａに示すように、これによって、上壁８および後壁９は、断面視略Ｌ字形状を有する。
【００３９】
図４Ａおよび図７Ａに示すように、また、後壁９は、第１切欠部２７および第２切欠部２８を有する。
【００４０】
第１切欠部２７は、後壁９における前側部分（厚み方向一方側部分）を縦方向他方側から縦方向一方側途中（縦方向一端部の手前）まで切り欠いた形状を有する。第１切欠部２７は、第２リンク１２における一の平行部４７と、それに連続する一の連結部４８との外形形状に対応する断面視形状を有する。具体的には、第１切欠部２７は、円弧部５３と、ストレート部５４とを連続して有する。
【００４１】
円弧部５３は、図４Ａに示すように、断面視において、前側および縦方向他方側に向かって開放される側断面視略１／４円弧形状を有する１／４円弧面を有する。円弧部５３には、一方側第２リンク１２における一の連結部４８の後側部分が嵌る。そのため、円弧部５３は、一方側第２リンク１２が縦方向一方側に移動することを規制する第３規制部５５となる。
【００４２】
ストレート部５４は、円弧部５３の縦方向他方側端縁から縦方向他方側に向かって延びる正面視略ストレート形状を有する。また、図５Ｄおよび図５Ｅに示すように、ストレート部５４は、前側に面し、平断面視略１／２（半）円弧形状を有する１／２円弧面（半円弧面）を有する。ストレート部５４には、一方側第２リンク１２における一の平行部４７が嵌る。そのため、ストレート部５４は、一方側第２リンク１２が横方向に移動（回転）することを規制する第４規制部５６となる。
【００４３】
図７Ａおよび図８Ａに示すように、第２切欠部２８は、後壁９の縦方向他方側端部を略三角形状に厚み方向に貫通するように切り取った形状を有する。なお、図４Ａの仮想線および矢印で示すように、第２切欠部２８は、一方側第４リンク１４の後側への回転（回動）を許容する。
【００４４】
図５Ｃ〜図７Ａに示すように、２つの横壁１０のそれぞれは、後壁９の横方向両端部から前側に向かって延びる略板形状を有する。横壁１０は、外壁２０と、突出壁２１とを一体的に備える。
【００４５】
外壁２０は、２つの横壁１０のそれぞれに備えられる。２つの外壁２０のそれぞれは、２つの横壁１０のそれぞれにおける横方向外側に位置する。２つの外壁２０は、横方向に互いに間隔を隔てて配置されている。２つの外壁２０のそれぞれは、上壁８の前側部分の横方向両端部から縦方向他方側に真っ直ぐに延びる略平板形状を有する。
【００４６】
図６および図７Ａに示すように、２つの突出壁２１のそれぞれは、２つの外壁２０のそれぞれの縦方向中央部およびその縦方向近傍から横方向内側に向かって、略山型に突出する形状を有する。つまり、２つの突出壁２１のそれぞれは、２つの外壁２０の横方向内側に位置する。２つの突出壁２１のそれぞれは、挿通凹部仕切部３６と、挿通凹部仕切部３６の縦方向両側に位置する第１裾部３７および第２裾部３８とを連続して備える。
【００４７】
挿通凹部仕切部３６は、外壁２０の縦方向中央部から横方向内側（２つの挿通凹部仕切部３６が互いに近接する方向）に向かって膨出する正面視略矩形箱形状を有する。２つの挿通凹部仕切部３６のそれぞれは、横方向に対向する対向面を有する。挿通凹部仕切部３６の対向面は、後述する挿通凹部３２の前側（厚み方向一方側）を仕切る。挿通凹部仕切部３６の対向面は、正面視において、第１切欠部２７の横方向両端縁と同一位置に位置する。つまり、２つの挿通凹部仕切部３６の対向面間の距離Ｌは、第１切欠部２７の幅と同一長さである。
【００４８】
第１裾部３７は、挿通凹部仕切部３６の縦方向一方側端縁から縦方向一方側に向かって延び、平断面積が縦方向一方側に向かって次第に小さくなる正面視略直角三角形状を有する。第１裾部３７は、外壁２０の縦方向一方側部分の内面の縦方向他方側端縁と、挿通凹部仕切部３６の対向面の縦方向一方側端縁とを連結する係止部の一例としての第１内周面５９を有する。２つの第１裾部３７の第１内周面５９は、正面視において、複数のリンク５の連結部４８の半割部分の外形形状に対応する形状（略１／４円弧形状）を有する。
【００４９】
第２裾部３８は、挿通凹部仕切部３６の縦方向他方側端縁から縦方向他方側に向かって延び、平断面積が縦方向他方側に向かって次第に小さくなる正面視略直角三角形状を有する。第２裾部３８は、外壁２０の縦方向他方側部分の内面の縦方向一方側端縁と、挿通凹部仕切部３６の対向面の縦方向他方側端縁とを連結する第２内周面６２を有する。２つの第２裾部３８の第２内周面６２は、正面視において、複数のリンク５の連結部４８の半割部分の外形形状に対応する形状（略１／４円弧形状）を有する。
【００５０】
また、図７Ｂおよび図８Ｂに示すように、２つの横壁１０のそれぞれは、縦方向に間隔を隔てて配置される第１ピン孔２４および第２ピン孔２５を有する。
【００５１】
図５Ｃに示すように、２つの第１ピン孔２４は、横方向に投影したときに、一方側第１リンク１１よりも前側に位置する。図５Ｆに示すように、２つの第２ピン孔２５は、横方向に投影したときに、一方側第３リンク１３よりも前側に位置する。
【００５２】
図２、図４Ａおよび図４Ｂに示すように、複数のピン４９のそれぞれは、軸線方向に沿うスリット５７を有する略円筒形状（具体的には、断面視略Ｃ字形状）を有する。複数のピン４９は、第１規制部の一例としての第１ピン５１と、第２規制部の一例としての第２ピン５２とを備える。
【００５３】
第１ピン５１は、２つの第１ピン孔２４の内径に対応する外径を有する。第１ピン５１は、２つの第１ピン孔２４に挿入されており、後で詳述する一方側第１リンク１１の前側に配置される。第１ピン５１は、第１ピン孔２４に挿入されるときに、スリット５７の幅が狭くなりまたは部分的になくなるように、第１ピン５１がわずかに縮径することに基づく径方向外側に向かう圧力によって、第１ピン孔２４に固定される。
【００５４】
第２ピン５２は、２つの第２ピン孔２５の内径に対応する外径を有する。第２ピン５２は、２つの第２ピン５２に挿入されており、後で詳述する一方側第３リンク１３の前側に配置される。第２ピン５２は、第２ピン孔２５に挿入されるときに、スリット５７の幅が狭くなりまたは部分的になくなるように、第２ピン５２がわずかに縮径することに基づく径方向外側に向かう圧力によって、第２ピン孔２５に固定される。
【００５５】
図４Ａ〜図５Ｆおよび図７Ａに示すように、収容係止部７では、上壁８と、２つの外壁２０と、２つの第１裾部３７と、後壁９とは、上壁８、外壁２０および第１裾部３７の前面から後側に向かって凹む第１受入凹部３１を形成している。また、２つの挿通凹部仕切部３６と、後壁９の第１切欠部２７とは、挿通凹部仕切部３６の前面から後側に向かって凹むとともに、後壁９の前面からも凹む挿通凹部３２を形成する。さらに、２つの第２裾部３８と、２つの外壁２０と、後壁９とは、外壁２０および第２裾部３８の前面から後側に向かって凹む第２受入凹部３３を形成する。
【００５６】
第１受入凹部３１は、所定の深さＤ１および所定の横方向長さＷ１を有する。挿通凹部３２は、所定の深さＤ２および所定の横方向長さＬを有する。第２受入凹部３３は、所定の深さＤ３および所定の横方向長さＷ２を有する。
【００５７】
また、第１受入凹部３１において、上壁８の横方向中央部の下面と、２つの外壁２０において第１裾部３７より縦方向一方側の内面と、２つの第１裾部３７の第１内周面５９とが、第１周面３４を形成する。第１周面３４は、縦方向他方側に向かって開放される正面視略Ｃ字形状を有する一方、その周方向において連続する面を有する。第１周面３４は、第１リンク１１における２つの平行部４７が横方向に並ぶように、第１受入凹部３１における後壁９の縦方向一方側部分の前面に配置（載置）されるときに、第１リンク１１の外形形状と同一形状を有する。第１周面３４と、後壁９の縦方向一方側部分の前面とは、開口部の一例としての第１開口部２６を仕切っている。第１開口部２６の縁部は、第１裾部３７に相当する。第１開口部２６は、前側に開放されるとともに、次に説明する挿通凹部３２に連通する。
【００５８】
第１受入凹部３１の横方向長さＷ１は、一方側第１リンク１１を、２つの平行部４７が横方向に並んで受け入れることができるように、一方側第１リンク１１の外面幅ｂ以上である。
【００５９】
また、第１受入凹部３１において、後壁９の前面は、一方側第１リンク１１の後端縁を、２つの平行部４７が横方向に並び、かつ、２つの連結部４８が縦方向に並びながら、載置できる面を有しており、具体的には、縦方向および横方向に沿う平坦面を有する。
【００６０】
挿通凹部３２において、２つの挿通凹部仕切部３６の対向面と、第１切欠部２７におけるストレート部５４の半円弧面とは、厚み方向に連続する挿通周面３９を形成する。挿通周面３９は、挿通凹部３２を仕切っている。挿通凹部３２は、第１受入凹部３１に連続する。挿通凹部３２は、第１開口部２６の縦方向他方側部分に連通する。
【００６１】
挿通凹部３２の幅（横方向長さ）（２つの挿通凹部仕切部３６の対向面間距離）Ｌは、一方側第２リンク１２の線径ｄよりも広く、かつ、一方側第１リンク１１の外面幅ｂより狭い。また、挿通凹部３２の深さＤ２は、一方側第２リンク１２の外面幅ｂより深い。
【００６２】
第２受入凹部３３において、２つの第２裾部３８の第２内周面６２と、２つの外壁２０において第２裾部３８より縦方向他方側の内面とは、第２周面３５を形成する。第２周面３５は、縦方向他方側に向かって開放される正面視略Ｕ字形状（但し、縦方向一端部が欠損したＵ字形状）を有する。第２周面３５は、正面視において、第３リンク１３における２つの平行部４７が横方向に並ぶように、第２受入凹部３３における後壁９の縦方向他方側部分の前面に配置（載置）されるときに、第３リンク１３の外形形状と同一形状を有する。第２周面３５と、後壁９の縦方向他方側部分の前面とは、第２開口部２９を仕切る。第２開口部２９は、挿通凹部３２の縦方向他方側部分に連通する。これにより、第２開口部２９は、挿通凹部３２を介して、第１開口部２６に連通する。
【００６３】
第２受入凹部３３の横方向長さＷ２は、一方側第３リンク１３を、２つの平行部４７が横方向に並んで受け入れることができるように、一方側第３リンク１３の外面幅ｂ以上である。
【００６４】
また、第２受入凹部３３において、後壁９の前面は、一方側第３リンク１３の後端縁を、２つの平行部４７が横方向に並び、かつ、２つの連結部４８が縦方向に並びながら、載置できる面を有しており、具体的には、縦方向および横方向に沿う平坦面を有する。
【００６５】
そして、上金具３は、リンクチェーン２の一方側第１リンク１１、一方側第２リンク１２および一方側第３リンク１３を収容しており、さらに、第１ピン５１および第２ピン５２に挿入されている。
【００６６】
一方側第１リンク１１は、２つの平行部４７が横方向に並ぶように、第１受入凹部３１に受け入れられている。具体的には、一方側第１リンク１１は、平行部４７が横方向に並び、かつ、一方側第１リンク１１の後端縁が後壁９の前面に接触するように、第１受入凹部３１に嵌っている（収容されている）。一方側第１リンク１１の外面は、第１周面３４と対向する。とりわけ、一方側第１リンク１１における縦方向他方側に位置する連結部４８の外面は、第１裾部３７の第１内周面５９によって係止されている。一方、一方側第１リンク１１における縦方向一方側に位置する連結部４８の外面は、上壁８の下面によって係止されている。さらに、一方側第１リンク１１は、後壁９の前面と、第１ピン５１とによって、厚み方向で挟まれている。
【００６７】
一方側第１リンク１１は、第１受入凹部３１に嵌り、第１裾部３７の第１内周面５９によって係止されているので、挿通凹部３２への挿通が規制されている。
【００６８】
図２および図３に示すように、一方側第２リンク１２は、挿通凹部３２を挿通している。つまり、挿通凹部３２は、一方側第２リンク１２の挿通を許容する。具体的には、図４Ａに示すように、一方側第２リンク１２の縦方向一方側の連結部４８と、一方側第１リンク１１の縦方向他方側の連結部４８とが接触する状態（つまり、一方側第２リンク１２と一方側第１リンク１１とが緊張している状態）で、一方側第２リンク１２は、挿通凹部３２を挿通している。図５Ｄおよび図５Ｅに示すように、一方側第２リンク１２の後側部分は、第１切欠部２７に嵌っている。他方、一方側第２リンク１２の前側部分は、２つの挿通凹部仕切部３６の対向面（により仕切られる挿通凹部３２）間に位置している。
【００６９】
図３および図５Ｆに示すように、一方側第３リンク１３は、２つの平行部４７が横方向に並ぶように、第２受入凹部３３に受け入れられている。具体的には、一方側第３リンク１３は、２つの平行部４７が横方向に並び、かつ、一方側第３リンク１３の後端縁が後壁９の前面に接触するように、第２受入凹部３３に嵌っている（収容されている）。一方側第３リンク１３の外面は、第２周面３５と対向する。とりわけ、一方側第３リンク１３における縦方向一方側に位置する連結部４８は、第２裾部３８の第２内周面６２に係止される。つまり、一方側第３リンク１３は、第２裾部３８の第２内周面６２によって、縦方向一方側への移動が規制されている。一方、図１Ｂに示すように、一方側第３リンク１３の縦方向他方側に位置する連結部４８は、後壁９（第２切欠部２８）の縦方向他方側端縁から後側に露出する。また、一方側第３リンク１３は、後壁９の前面と、第２ピン５２とによって、厚み方向で挟まれている。
【００７０】
なお、一方側第４リンク１４は、一方側第３リンク１３に連結されているが、収容係止部７に固定されていない。具体的には、図４Ａの仮想線および矢印で示すように、前後方向の回転（回動）が許容されている。
【００７１】
上金具３が、一方側第１リンク１１、一方側第２リンク１２および一方側第３リンク１３を収容するには、例えば、一方側第１リンク１１、一方側第２リンク１２および一方側第３リンク１３を緊張させた状態（例えば、一方側第１リンク１１が縦方向他方側端部となるように、一方側第１リンク１１、一方側第２リンク１２および一方側第３リンク１３を垂下させた状態で）、まず、一方側第２リンク１２における一の平行部４７を挿通凹部３２に挿通させる。次いで、一方側第１リンク１１および一方側第３リンク１３のそれぞれを第１受入凹部３１および第２受入凹部３３のそれぞれに収容させる（嵌め込む）とともに、一方側第２リンク１２における他方平行部４７を挿通凹部３２に挿通させる。続いて、一方側第１リンク１１および一方側第３リンク１３のそれぞれの２つの平行部４７が並ぶように、一方側第１リンク１１および一方側第３リンク１３の後端縁を、後壁９の前面に接触させる。
【００７２】
その後、第１ピン５１を、一の第１ピン孔２４から挿入し、続いて、一方側第１リンク１１の前側を通過させ、その後、他の第１ピン孔２４に挿入する。これとともに、第２ピン５２を、一の第２ピン孔２５から挿入し、続いて、一方側第３リンク１３の前側を通過させ、その後、他の第２ピン孔２５に挿入する。
【００７３】
このリンクチェーン２および上金具３では、一方側第１リンク１１は、第１裾部３７の第１内周面５９に係止される。そのため、一方側第１リンク１１は、縦方向他方側への移動が規制される。
【００７４】
一方側第３リンク１３は、第２裾部３８の第２内周面６２に係止される。そのため、一方側第３リンク１３は、縦方向一方側への移動が規制される。
【００７５】
併せて、一方側第２リンク１２は、一方側第１リンク１１および一方側第３リンク１３に対して緊張していることから、縦方向の移動が規制される。
【００７６】
さらに、第１ピン５１および第２ピン５２によって、一方側第１リンク１１および一方側第３リンク１３の前側への移動が規制される。併せて、一方側第２リンク１２は、一方側第１リンク１１および一方側第３リンク１３に対して緊張していることから、前側の移動も規制される。
【００７７】
図１Ａ〜図１Ｃに示すように、下金具４は、例えば、フックであって、正面視略Ｃ字形状を有する鉤部４０と、鉤部４０の遊端部および基端部の間を閉鎖可能に設けられる閉鎖板４１と、収容係止部７とを備える。
【００７８】
収容係止部７は、下金具４における縦方向一方側部分に位置する。収容係止部７は、鉤部４０の基端部に連続する。収容係止部７は、上金具３における同一の構成を有しており、他方側第１リンク１５、他方側第２リンク１６および他方側第３リンク１７を収容しており、その態様は、上金具３が一方側第１リンク１１、一方側第２リンク１２および一方側第３リンク１３を収容する態様と同様である。
【００７９】
これにより、チェーンスリング１では、リンクチェーン２の両端部が、上金具３および下金具４に結合されている。
【００８０】
そして、このチェーンスリング１では、挿通凹部３２は、一方側第２リンク１２の挿通が許容され、かつ、一方側第１リンク１１の挿通が規制されるように、一方側第２リンク１２の線径ｄよりも広く、かつ、一方側第１リンク１１の外面幅ｂよりも狭く、第１受入凹部３１は、挿通凹部３２に連続する第１開口部２６と、第１裾部３７において一方側第１リンク１１を係止する第１内周面５９とを備える。そのため、一方側第１リンク１１は、その平行部４７が並ぶように、第１受入凹部３１において受け入れられ、挿通凹部３２における挿通が規制される一方、挿通凹部３２に連続する第１受入凹部３１の第１裾部３７において、第１内周面５９によって、係止される。
【００８１】
他方、一方側第２リンク１２は、挿通凹部３２における挿通が許容される。
【００８２】
したがって、一方側第１リンク１１および一方側第２リンク１２のそれぞれを、第１開口部２６および挿通凹部３２において受け入れつつ、一方側第１リンク１１を第１内周面５９に係止させることによって、リンクチェーン２が上金具３に確実に結合される。
【００８３】
そのため、たとえ、一方側第１リンク１１が小型であっても、第１裾部３７の第１内周面５９によって係止できる。
【００８４】
その結果、一方側第１リンク１１の小型化を図りつつ、かかる一方側第１リンク１１を含むリンクチェーン２を上金具３によって確実に結合することができる。
【００８５】
なお、下金具４と、他方側第１リンク１５、他方側第２リンク１６および他方側第３リンク１７とは、上記した上金具３と、一方側第１リンク１１、一方側第２リンク１２および一方側第３リンク１３と同様の作用効果を奏することができる。以下に続く作用効果も、同様である。
【００８６】
また、このチェーンスリング１では、第１ピン５１によって、一方側第１リンク１１の深さ方向（厚み方向）の移動を規制できるので、一方側第１リンク１１は、上金具３により確実に結合される。
【００８７】
さらに、このチェーンスリング１では、一方側第３リンク１３が第２受入凹部３３で受け入れられる。そのため、チェーンスリング１が上金具３により一層確実に結合される。
【００８８】
さらにまた、このチェーンスリング１では、第２ピン５２によって、一方側第３リンク１３の深さ方向（厚み方向）の移動を規制できる。
【００８９】
このチェーンスリング１では、リンクチェーンの線径ｄが５ｍｍ未満であれば、リンクチェーンリンクの小型化を確保することができる。
【００９０】
上記したチェーンスリング１は、例えば、吊り具、玉架けなどに用いられ、とりわけ、小型化のリンクチェーン２を備えるチェーンスリング１として種々の分野に用いられる。
【００９１】
なお、チェーンスリング１は、リンクチェーン２と、上金具３および下金具４を備えるが、例えば、上金具３のみ、または、下金具４のみを、チェーンスリング１用の金具（部品）として提供することもできる。この場合には、チェーンスリング１用の上金具３、または、チェーンスリング１用の下金具４は、それぞれ、まだ、リンクチェーン２に結合されておらず、産業上利用可能な金具であって、それ単独で流通することができる。
【００９２】
このチェーンスリング１の上金具３では、挿通凹部３２は、一方側第２リンク１２の挿通が許容され、かつ、一方側第１リンク１１の挿通が規制されるように、一方側第２リンク１２の線径ｄよりも広く、かつ、一方側第１リンク１１の外面幅ｂよりも狭く、第１受入凹部３１は、挿通凹部３２に連続する第１開口部２６と、第１開口部２６の縁部に一方側第１リンク１１を係止する第１裾部３７とを備える。そのため、一方側第１リンク１１は、その平行部４７が並ぶように、第１受入凹部３１において受け入れられ、挿通凹部３２における挿通が規制される一方、挿通凹部３２に連続する第１開口部２６の第１裾部３７において、第１内周面５９によって、係止される。
【００９３】
他方、一方側第２リンク１２は、挿通凹部３２における挿通が許容される。
【００９４】
したがって、一方側第１リンク１１および一方側第２リンク１２のそれぞれを、第１開口部２６および挿通凹部３２において受け入れつつ、一方側第１リンク１１を第１内周面５９に係止させれば、チェーンスリング１が上金具３に確実に結合される。
【００９５】
そのため、たとえ、一方側第１リンク１１が小型であっても、特許文献１のように、係止ピンを小型の一方側第１リンク１１に挿入させるのではなく、第１内周面５９によって係止できる。
【００９６】
その結果、一方側第１リンク１１が小型であっても、かかる一方側第１リンク１１を含むリンクチェーン２を上金具３によって確実に結合することができる。
【００９７】
下金具４は、上記した上金具３と同様の作用効果を奏する。
【００９８】
＜変形例＞
以下の各変形例において、上記した一実施形態と同様の部材および工程については、同一の参照符号を付し、その詳細な説明を省略する。また、各変形例を適宜組み合わせることができる。さらに、各変形例は、特記する以外、一実施形態と同様の作用効果を奏することができる。
【００９９】
一実施形態では、上金具３および下金具４のそれぞれは、第１開口部２６および挿通凹部３２のそれぞれを備える。しかし、図示しないが、上金具３および下金具４のいずれか一方のみが、第１開口部２６および挿通凹部３２を備えることもできる。
【０１００】
一実施形態では、上金具３をマスターリンクとし、下金具４をフックとしている。しかし、例えば、図示しないが、上金具３および下金具４の両方を、マスターリンクとし、あるいは、フックとすることもできる。
【０１０１】
一実施形態では、図１Ａに示すように、第１開口部２６、第１切欠部２７および第２開口部２９のそれぞれを収容係止部７に１つ設けている。しかし、その数は特に限定されない。第１開口部２６、第１切欠部２７および第２開口部２９のそれぞれは、例えば、複数であってもよく、具体的には、図１３〜図１６Ｂに示すように、２つであってもよい。
【０１０２】
チェーンスリング１は、１つの上金具３と、２つのリンクチェーン２と、２つの下金具４とを備える。
【０１０３】
上金具３の収容係止部７において、２つの第１開口部２６が、横方向に互いに間隔を隔てて隣接配置されている。
【０１０４】
２つのリンクチェーン２のそれぞれの一方側第１リンク１１が、２つの第１開口部２６のそれぞれに受け入れられている。２つのリンクチェーン２のそれぞれの一方側第２リンク１２が、２つの挿通凹部３２のそれぞれを挿通している。また、２つのリンクチェーン２のそれぞれの一方側第３リンク１３が、２つの第２開口部２９に受け入れられている。
【０１０５】
このチェーンスリング１では、１つの上金具３に対して、２つの下金具４が、２つのリンクチェーン２を介して、連結されている。
【０１０６】
一実施形態では、第１規制部および第２規制部の一例として第１ピン５１および／または第２ピン５２によって、一方側第１リンク１１および／または一方側第３リンク１３の前側への移動を規制しているが、図示しないが、例えば、縦方向および横方向に延びる板形状を有する蓋を第１開口部２６および／または第２開口部２９を覆うように設けることができる。蓋は、収容係止部７と別体でもよく、あるいは、一体でもよい。
【０１０７】
また、一実施形態では、突出壁２１は、第１裾部３７、挿通凹部仕切部３６および第２裾部３８を備える。しかし、突出壁２１は、第１内周面５９を有する第１裾部３７を備えていればよく、図示しないが、例えば、第２裾部３８を備えない突出壁２１、さらには、第２裾部３８および挿通凹部仕切部３６を備えない突出壁２１であってもよい。
【符号の説明】
【０１０８】
１     チェーンスリング
２     リンクチェーン
３     上金具
４     下金具
１１   一方側第１リンク
１２   一方側第２リンク
１３   一方側第３リンク
２６   第１開口部
２９   第２開口部
３１   第１受入凹部
３２   挿通凹部
３３   第２受入凹部
３８   第２裾部
４７   平行部
５１   第１ピン
５２   第２ピン
６２   第２内周面
ｂ     外面幅
ｄ     線径
【図１】
2019052688.tif 000003
【図２】
2019052688.tif 000004
【図３】
2019052688.tif 000005
【図４】
2019052688.tif 000006
【図５】
2019052688.tif 000007
【図６】
2019052688.tif 000008
【図７】
2019052688.tif 000009
【図８】
2019052688.tif 000010
【図９】
2019052688.tif 000011
【図１０】
2019052688.tif 000012
【図１１】
2019052688.tif 000013
【図１２】
2019052688.tif 000014
【図１３】
2019052688.tif 000015
【図１４】
2019052688.tif 000016
【図１５】
2019052688.tif 000017
【図１６】
2019052688.tif 000018